(57)【要約】【課題】胴部にしっかりと固定して装着でき、軽量でありながら、風などであおられることなく、不使用時には傘を折り畳んで収納できできる折畳み傘用の傘保持具を提供する。【解決手段】胴に倣った幅広の曲状の硬質プラスチック製の胴当て板２と、それに固定した硬質プラスチック製の伸縮保持筒７と、収納筒１５と、胴当て板に取り付けた胴に装着するためのバンド３とからなり、伸縮保持筒７を外筒８と内筒９から形成し、内筒上端の手元挿入口１２から内筒内に装着した傘２６の手元２０を内筒内壁との間に挟持固定するネジ挿入の押付け棒１９を上部内壁側部に有し、伸縮保持筒７の内筒９は伸ばしたときに外筒８の上端部に形成する止めボタン孔１４ｂに弾発的に突出して嵌着係止する止めボタン１４ａを内筒下端部に具備する傘保持具１である。【選択図】        図１
2004229785.tif 000002
【特許請求の範囲】
【請求項１】
身体の胴部形状に倣った幅広の曲状の硬質プラスチック製の胴当て板と、該胴当て板の外曲面に固定具備せしめた垂直方向の傘保持用の硬質プラスチック製の伸縮保持筒および該伸縮保持筒に平行な傘収納用の硬質プラスチック製の収納筒と、該胴当て板に取り付けた胴部装着用の水平方向に設けたバンドとから傘保持具を形成し、該伸縮保持筒を外筒と外筒内を上下に伸縮保持可能で傘の手元装着用の手元挿入口を上端部に配した内筒から形成し、かつ、該手元挿入口から内筒内に装着した傘の手元を内筒内壁との間に挟持固定するネジ挿入の押付け棒を内筒上部内壁側部に配したことを特徴とする傘保持具。
【請求項２】
伸縮保持筒の内筒は伸ばしたときに外筒上端部に形成の止めボタン孔に内側から弾発的に突出して嵌着する止めボタンを内筒外壁の下端部に具備することを特徴とする請求項１に記載の傘保持具。
【請求項３】
伸縮保持筒または収納筒のいずれかに安全点滅器を具備せしめたことを特徴とする請求項１また２に記載の傘保持具。
【発明の詳細な説明】
【０００１】
【発明の属する技術分野】
この発明は、身体の胴回りに取り付けて使用する傘保持具、特に手を使用することなく降雨時に開いた傘を保持することができ、未使用時には折り畳んだ傘を収納することが出来る傘の保持具に関する。
【０００２】
【従来の技術】
降雨時に使用する傘は、通常は降雨時に開いた傘を柄すなわち手元という握り部を手で握って支持し、未使用時には傘を閉じてステッキのように石突き側を下にして傘の手元で支持して歩行する。折畳み傘にあっても基本的にはその使用方法は同じである。しかし、折畳み傘は未使用時の傘が濡れていない場合は、折り畳んで収納袋に入れて鞄などにしまっておく。しかし濡れた折畳み傘はそのまま鞄などに入れることが出来ないので、手で持つこととなり、手がふさがれることとなってしまう。
【０００３】
ところで、このような傘の使用方法は、両手が空いているときにはよいが、重い荷物を手で持っている時には、仮に片方の手が空いていても、その片方の手で傘をさすことは負担となることがある。また、自転車などに乗るときは傘をさすために片手を取られることは安全運転上好ましくないことである。さらに、たとえ両手が空いていても傘をさすことで片手の自由がそがれ高齢者にはバランスを崩すなどのおそれがある。
【０００４】
そこで、両手が使用できるように身体に取り付けて傘を自動保持する用具が種々提案されている。例えば、紐に片方の肩を通し、この紐に傘の手元を保持させたもの（例えば、特許文献１、特許文献２参照。）や身体の胴に取り付けるようにしたもの（例えば、特許文献２、特許文献３参照。）などがあり、その他に頭で傘の手元を支持するもの（例えば、特許文献４、特許文献５参照。）などがある。
【０００５】
しかし、これらは両手を空けることは出来るが、傘の保持機構がぶら下げるなどのものでは安定性が必ずしも十分でなく、かつ、風などであおられるとしっかりと保持できないなどの問題があった。
【０００６】
【特許文献１】
特開昭６１−５６６０１号公報
【特許文献２】
特開平２−１６４３０６号公報
【特許文献３】
特開昭６１−７３６０４号公報
【特許文献４】
実開平１−１０２１２号公報
【特許文献５】
実開平２−１３６５１８号公報
【０００７】
【発明が解決しようとする課題】
本発明が解決しようとする課題は、傘をさす本人の胴部にしっかりと固定して装着でき、軽量でありながら、風などであおられることなく、しかも、不使用時には折り畳んでしまうことができ、さらに夜にも安心して装着できる折畳み傘用の傘保持具を提供することである。
【０００８】
【課題を解決するための手段】
上記の課題を解決するための本発明の手段は、請求項１の発明では、身体の胴部形状に倣った幅広の曲状の硬質プラスチック製の胴当て板と、該胴当て板の外曲面に固定具備せしめた垂直方向の傘保持用の硬質プラスチック製の伸縮保持筒および該伸縮保持筒に平行な傘収納用の硬質プラスチック製の収納筒と、該胴当て板に取り付けた胴部装着用の水平方向に設けたバンドとから傘保持具を形成し、該伸縮保持筒を外筒と外筒内を上下に伸縮保持可能で傘の手元装着用の手元挿入口を上端部に配した内筒から形成し、かつ、該手元挿入口から内筒内に装着した傘の手元を内筒内壁との間に挟持固定するネジ挿入の押付け棒を内筒上部内壁側部に配したことを特徴とする傘保持具である。
【０００９】
請求項２の発明では、伸縮保持筒の内筒は伸ばしたときに外筒上端部に形成の止めボタン孔に内側から弾発的に突出して嵌着する止めボタンを内筒外壁の下端部に具備することを特徴とする請求項１の手段の傘保持具である。
【００１０】
請求項３の発明では、伸縮保持筒または収納筒のいずれかに安全点滅器を具備せしめたことを特徴とする請求項１または２の手段の傘保持具である。
【００１１】
【発明の実施の形態】
図面を参照して本発明の実施の形態を説明する。図１は、本発明の傘保持具の全体を示す立面図である。図２は、本発明の傘保持具の内筒を伸ばして示す傘保持具の立面図である。図３は、本発明の傘保持具の上面から見た図である。図４は、本発明の傘保持具の保持筒の使用形態を説明する図で、（ａ）は内筒を伸ばした図、（ｂ）は傘を不使用時に折り畳んだ傘を挿着するための内筒を示す図である。図５は、本発明の実施の形態の傘保持具で傘をさしている状態を示す図である。
【００１２】
これらに図において、本発明の傘保持具１は身体２４の腰の部分である胴に装着するものである。このために、装着する身体の胴部の形状に沿うように倣って曲げられた曲状の胴当て板２を硬質塩化ビニール板やアクリル板などのできるだけ軽量で耐久性のある厚さ略３ｍｍ、縦幅１９０ｍｍ、横幅３００ｍｍのプラスチックス板の曲板から形成し、その四隅は安全のためアールを設けている。この胴当て板２の内面は身体２４にやさしく当接するように当て布２９を全面に貼ることとする。この胴当て板２の外側の曲面に傘２６を挿入して保持するための伸縮保持筒７を垂直方向に例えば上下２個の止め金１６で押さえてビス止めなどにより固定している。さらに、この伸縮保持筒７と隣合った位置で伸縮保持筒７と平行な垂直方向に未使用時の傘２６を収納するための収納筒１５を同じく上下の２個の止め金１６で固定し取り付けている。
【００１３】
伸縮保持筒７と収納筒１５はそれぞれ胴当て板２と同様にできるだけ軽量で耐久性のある硬質塩化ビニール板やアクリル板のプラスチックス板などで、厚さは伸縮保持筒７で上端部のみ略４ｍｍで本体部は略２．５ｍｍからなり、収納筒１５で２．５ｍｍからなっている。
【００１４】
これらの伸縮保持筒７と収納筒１５を取り付けた胴当て板２を身体２４の胴に装着するため、幅５０ｍｍの布製の装着用のバンド３を水平方向にして胴当て板２の左右の端部に垂直方向に設けたスリット状のバンド挿通孔４に通し、バンド３の一部にバンド長さ調整用のアジャスター２８に通し、バンド３の端部は係合するためのバックル挿入具５とバックル受け具６を有して胴当て板２を保持するものとしている。さらに、図５に示すように、胴当て板２を装着し易いように胴当て板２に適宜にバンド３以外に肩紐３０を取り付けることができる。
【００１５】
傘２６を使用時に保持するための伸縮保持筒７は、外筒８と内筒９の二重構造の筒体からなる。外筒８は外径４０ｍｍ、長さ１４０ｍｍで下端を閉じている。内筒９は外径３０ｍｍで長さ２５０ｍｍで、外筒８の上端から３３ｍｍ下方の胴当て板２の反対側の筒壁に径１０ｍｍの止めボタン孔１４ｂを開口している。内筒９には、上端から２１０ｍｍ下方に弾撥的に外筒壁より外方に約１ｍｍ突出する可能な径６．５ｍｍの止めボタン１４ａがバネで支持されて内装されており、外筒８から内筒９を図４の（ａ）に矢印で示す伸縮方向２３の上方に引き上げた時に内筒９の止めボタン１４ａが外筒８の止めボタン孔１４ｂに係合嵌着して突出し、図２に示すように、内筒９は外筒８に固定され、傘２６を使用する高さに維持する。傘の未使用時に内筒９を外筒８に押し入れて収納する際は、止めボタン１４ａを指先で外筒９の壁内に押し込んでから内筒９を下方に押し下げることで、内筒９を外筒８内に収納する。
【００１６】
内筒９の上端部には一端に傘の手元２０がＵ字型に湾曲している曲状手元の場合に挿入し易くするための幅２５ｍｍ、深さ１５０ｍｍの切り込みからなる手元挿入口１２を有し、手元挿入口１２の下端の下方約２５ｍｍを内筒体としその下に出口上端とした径約３０ｍｍの曲状手元出口１３を開口している。この曲状手元出口１３の上側の内筒体の部分の反対側には挿入した傘の手元２０を挟持するための押付け棒１９を、図３に示すように、横方向の筒に内蔵し、手元締め付けネジ１０をヘッド１１により螺合して図４の（ａ）で矢印で示す締め付けネジ移動方向２２に押付け棒１９を移動して手元２０を挟持可能としている。
【００１７】
内筒９の上端部の曲状手元出口１３の直下側部の身体に装着した時に外向きとなる部分に、裏面に点灯用の押しボタンを有する赤い灯が回転点滅する市販の安全点滅器１８を取り付け、夜間の安全を図っている。
【００１８】
図５は、本発明の実施の形態の傘保持具１で傘２６をさしている状態を示す図である。傘保持具１の装着方法を説明すると、先ず、肩紐３０を肩にとおして傘保持具１を腰部に保持し、次いでアジャスター２８で胴周りの長さに調整したバンド３で胴当て板２を身体２４の腰上の胴の部分のやや側部に位置してバックル受け具６にバックル挿入具５を挿着して取り付ける。さらに伸縮保持筒７の内筒９を引き上げて止めボタン１４ａを外筒８の止めボタン孔１４ｂに嵌合させて、傘２６をさしたときに頭２５に傘２６が振れることのないようにする。さらに、傘２６を収納筒１５から抜き取り、傘２６の折畳みを一度伸ばして開き、次いで、傘２６の柄の手元２０がＵ字状に曲がっているものでは、手元２０の曲がった先端を手元挿入口１２に挿入してＵ字状に回転しながら曲状手元出口１３から手元２０の曲がった先端を出して傘２６を図に示すように頭上に立てる。さらに手元締め付けネジ１０のヘッド１１を回転してネジ締めして傘２６の手元２０を内筒９に固定する。夜の場合は安全点滅器１８の裏面の点灯ボタンを押して安全点滅器１８を点灯する。傘保持具１の胴当て板２は縦幅が１９０ｍｍと十分に幅広く、かつ、剛体であるので、以上のように装着することで、傘２６は腰部に確実に保持されて少々の風が吹いても倒れることがなく、雨を防ぐことができる。両方の腕２７、２７は共に自由となるので手荷物を持ったり、あるいはステッキなどを手にすることができ安全である。
【００１９】
傘２６を必要としないときは、上記と逆の操作をすることで傘２６を伸縮保持筒７から取り外すことができる。取り外した後は、傘２６を折り畳んで、石突きの方から収納筒１５に挿入して収納することができる。この場合、傘２６を取り外した伸縮保持筒７は止めボタン１４ａを指で押し下げて係合をはずして内筒９を外筒８に押し入れ、邪魔にならないように短くする。
【００２０】
【発明の効果】
以上に説明したように、本発明の傘保持具は十分な幅広でかつ剛体の腰当て板を有するので身体にしっかりと固定して装着することができるので、風があっても傘が吹き飛ばされるようなことはなく、両手が自由に使用でき、さらに、不使用時に傘を折り畳んで収納することができ、かつ、傘保持具の主要部である腰当て板や伸縮保持筒や収納筒を硬質のプラスチック製としたので軽量で、高齢者にも負担になることがなく、装着が簡単に行え、さらに安全点滅器を装備したことで夜には点灯することで安全を向上させることができるなど、優れた作用効果を示すものである。
【図面の簡単な説明】
【図１】本発明の傘保持具の全体を示す立面図である。
【図２】本発明の傘保持具の内筒を伸ばして示す傘保持具の立面図である。
【図３】本発明の傘保持具の上面から見た図である。
【図４】本発明の傘保持具の保持筒の使用形態を説明する図で、（ａ）は内筒を伸ばした図、（ｂ）は折り畳んだ傘を挿着した内筒を示す図である。
【図５】傘保持具で傘をさしている姿を示す図である。
【符号の説明】
１  傘保持具
２  胴当て板
３  バンド
４  アジャスター
５  バックル挿入具
６  バックル受け具
７  保持筒
８  外筒
９  内筒
１０  手元締め付けネジ
１１  ヘッド
１２  手元挿入口
１３  曲状手元出口
１４ａ  止めボタン
１４ｂ  止めボタン孔
１５  収納筒
１６  止め金
１７  挿入口
１８  安全点滅器
１９  押付け棒
２０  手元
２１  軸
２２  締付けネジ移動方向
２３  保持筒伸縮方向
２４  身体
２５  頭
２６  傘
２７  腕
２８  アジャスター
２９  当て布
３０  肩紐
【図１】
2004229785.tif 000003
【図２】
2004229785.tif 000004
【図３】
2004229785.tif 000005
【図４】
2004229785.tif 000006
【図５】
2004229785.tif 000007